(57)【要約】【課題】停電状態を確実に検出し、入力電圧が復帰した際にセンサ回路が正常に運転することを可能にした新規の省電力回路を提供する。【解決手段】交流電源の一極に第一のコンデンサ１の一端を接続し、同じく交流電源の一極にスイッチング素子２と第二のコンデンサ３との直列回路を接続して、第一のコンデンサ１と前記直列回路とを並列に接続し、第一のコンデンサ１及び第二のコンデンサ３の他端に整流ブリッジ７の一方の交流端子を接続し、この整流ブリッジ７の直流端子にセンサ１８を備えたセンサ回路１１を接続した省電力回路であって、整流ブリッジ７の直流端子に入力コンデンサ９を接続し、この入力コンデンサ９と並列に電圧検出回路２１を接続し、入力コンデンサ９の電圧が一定値以下になった場合に、電圧検出回路２１の電圧がローになって、センサ１８の出力信号を一定期間オフできるように構成したことを特徴とする省電力回路。【選択図】図１
2004094775.tif 000002
【特許請求の範囲】
【請求項１】
交流電源の一極に第一のコンデンサの一端を接続し、同じく交流電源の一極にスイッチング素子の一端を接続し、このスイッチング素子の他端に第二のコンデンサの一端を接続して、前記第一のコンデンサと、前記スイッチング素子と前記第二のコンデンサとの直列回路とを並列に接続し、前記第一のコンデンサ及び第二のコンデンサの他端に整流ブリッジの一方の交流端子を接続し、この整流ブリッジの直流端子にセンサを備えたセンサ回路を接続した省電力回路であって、前記整流ブリッジの直流端子に入力コンデンサを接続し、この入力コンデンサと並列に電圧検出回路を接続し、前記入力コンデンサの電圧が一定値以下になった場合に、前記電圧検出回路の電圧がローになって、前記センサの出力信号を一定期間オフできるように構成したことを特徴とする省電力回路。
【請求項２】
前記電圧検出回路の出力を、偶数個の否定制御回路を直列に接続した第一の否定制御回路群の入力に接続し、この否定制御回路群の出力を、前記スイッチング素子のオンとオフとを操作するフォトカプラに接続してあることを特徴とする請求項１記載の省電力回路。
【請求項３】
前記整流ブリッジの直流端子の両端にツェナーダイオードを接続してあることを特徴とする請求項１又は２記載の省電力回路。
【請求項４】
前記センサを、偶数個の否定制御回路を直列に接続した第二の否定制御回路群の入力に接続し、この否定制御回路群の出力を前記第一の否定制御回路群の入力に接続してあることを特徴とする請求項１乃至３のいずれかに記載の省電力回路。
【請求項５】
前記第二の否定制御回路群の出力と第一の否定制御回路群の入力との間に単数又は複数個の抵抗、コンデンサその他受動素子を設けてある請求項１乃至４のいずれかに記載の省電力回路。
【発明の詳細な説明】
【０００１】
【発明の属する技術分野】
本発明は、電子機器の待機電力を低減する省電力回路に関するものである。
【０００２】
【従来の技術】
従来の省電力回路を図２に示す。この省電力回路は、交流電源６の一極に第一のコンデンサ１の一端を接続し、同じく交流電源６の一極に第一のスイッチング素子２の一端を接続し、この第一のスイッチング素子２の他端に第二のコンデンサ３の一端を接続して、前記第一のコンデンサ１と、前記第一のスイッチング素子２と前記第二のコンデンサ３との直列回路とを並列に接続し、前記第一のコンデンサ１及び第二のコンデンサ３の他端に整流ブリッジ７の一方の交流端子を接続し、さらに、交流電源６の一極に第二のスイッチング素子４を接続し、この第二のスイッチング素子４に負荷２２を接続し、この負荷２２を前記交流電源６の他極及び前記整流ブリッジ７の他方の交流端子に接続していた。整流ブリッジ７の直流端子にセンサ回路１１を接続してある。
【０００３】
このセンサ回路１１は、外部からの赤外線信号を受けるフォトダイオードを備えた信号発生器１２と、この信号発生器１２からの交流電気信号１３を処理して直流信号１５を出力する信号処理部１４とを有するオンオフ制御部を備えてある。また、センサ回路１１は、上記信号処理部１４からの直流信号１５を受けてオン作動する一対のスイッチング素子１６，１７と、一方のスイッチング素子１６のオン作動時に発光して電源回路に設けられた第一のスイッチング素子２をオンにする発光ダイオード２ａと、他方のスイッチング素子１７のオン作動により負荷２２への交流電源供給回路を閉路するスイッチング素子４とを有するオンオフ作動部を備えてある（特許文献１参照。）。
【０００４】
【特許文献１】
国際公開第００／１４８５０号パンフレット（第４−６頁、第１図）
【０００５】
【発明が解決しようとする課題】
従来の省電力回路は、上記のように電圧検出回路を備えていなかった。そのため、センサ回路１１が動作中に、例えば、入力コンデンサの容量が４７μＦの場合、入力瞬断が約１０〜８００ｍｓの範囲で瞬停が発生すると、電源電圧が５Ｖから２Ｖまで低下するが、センサ回路１１の出力部はオフせずに、出力電流を流し続けるため、入力電圧が復帰しても電源電圧が５Ｖに立ち上がることが出来ず、正常状態にはならなかった。
【０００６】
本発明は、上記問題に鑑みてなされたものであり、停電状態を確実に検出し、入力電圧が復帰した際にセンサ回路が正常に運転することを可能にした新規の省電力回路を提供する。
【０００７】
【課題を解決しようとする手段】
上記目的を達成するためになされた本発明は、停電状態を確実に検出し、瞬停時センサ出力部を一定期間オフすることをできるようにしたことにより、入力電圧が復帰した際に瞬停前と同様にセンサ回路が正常に運転することができる。
【０００８】
また、前記第二の否定制御回路群の出力と第一の否定制御回路群の入力との間に単数又は複数個の抵抗、コンデンサその他受動素子を設けてあることにより、時定数を制御することができる。
【０００９】
【発明の実施の形態】
以下、添付図面を用いて本発明省電力回路に係る実施例を説明する。図１は本発明に係る省電力回路の一実施例を示す。１，３、９はコンデンサ、２はスイッチング素子、６は交流電源、７は整流ブリッジ、８はツェナーダイオード、１１はセンサ回路、１８はセンサ、２１は電圧検出回路、２２は負荷、２３は第一の否定制御回路群、２６は第二の否定制御回路群、３０はフォトカプラである。
【００１０】
本実施例に係る省電力回路は、交流電源６の一極に第一のコンデンサ１の一端を接続してある。同じく交流電源６の一極にスイッチング素子２の一端を接続し、このスイッチング素子２の他端を第二のコンデンサ３の一端を接続して直列回路を構成し、この直列回路に第一のコンデンサ１が並列に接続するよう構成してある。スイッチング素子２と第二のコンデンサ３との接続部に負荷２２が接続し、この負荷２２は交流電源６の他極に接続してある。
【００１１】
前記直列回路と第一のコンデンサ１との接続部に整流ブリッジ７の一方の交流端子を接続してある。この整流ブリッジ７の他方の交流端子を交流電源６の他極に接続してある。また、整流ブリッジ７の直流端子間にツェナーダイオード８を接続し、このツェナーダイオード８と並列に入力コンデンサ９を接続してある。
【００１２】
入力コンデンサと並列に電圧検出回路２１を接続してある。この電圧検出回路２１の出力をセンサ回路１１に接続してあり、このセンサ回路１１にはセンサ１８を備えてある。この電圧検出回路２１は、入力コンデンサ９の電圧が一定値以下になった場合に、電圧検出回路２１の電圧がローになって、センサの出力信号を一定期間オフできるように構成してある。
【００１３】
続いてセンサ回路１１について説明する。このセンサ回路１１の入力部に否定制御回路２４を設けてあり、この否定制御回路２４の入力を電圧検出回路２１の出力に接続してある。また、この否定制御回路２４の出力を別の否定制御回路２５の入力に接続して、第一の否定制御回路群２３を構成してある。この否定制御回路群３１の出力を、前記スイッチング素子２のオンとオフとを操作するフォトカプラ３０に接続してある。なお、本実施例では第一の否定制御回路群２３は２個の否定制御回路２４，２５を直列に接続して構成してあるが、偶数個の否定制御回路を直列に接続して第一の否定制御回路群２３を構成してあれば同様の効果を得ることができる。
【００１４】
センサ回路１１に備えたセンサ１８を、第一の否定制御回路群２３とは別に設けた否定制御回路２７の入力に接続してある。この否定制御回路２７の出力を別の否定制御回路２８の入力に接続して、第一の否定制御回路群２６を構成してある。この否定制御回路群２６の出力を第一の否定制御回路群２３の入力に接続してある。なお、本実施例では第一の否定制御回路群２６は２個の否定制御回路２７，２８を直列に接続して構成してあるが、偶数個の否定制御回路を直列に接続して第一の否定制御回路群２６を構成してあれば同様の効果を得ることができる。また、本実施例では、第一の否定制御回路群２６の出力と第一の否定制御回路群２３の入力間に抵抗３１，３２を２個設けてあり、これら抵抗３１，３２間の接続部からコンデンサ３３を接続してある。これにより時定数を設定することができる。さらに、本実施例ではセンサ１８を抵抗のみで構成してあるが、このセンサ１８をＩＣその他回路で構成しても同様の作用及び効果がある。
【００１５】
以上のように構成してある省電力回路は以下のような作用をする。交流電源６の各極と第一のコンデンサ１の対応する極板との間を電荷が移動して交流電流が生じる。この交流電流は交流電源６と第一のコンデンサ１との間を流れる際に整流ブリッジ７によって整流される。この整流作用により、ツェナーダイオード８のツェナー電圧に対応した量の電荷が入力コンデンサ９に充電され、センサ回路１１のための直流電源１０として機能する。
【００１６】
センサ１８の受光が設定値以下になると、抵抗値が上がりハイになる。この信号を第一の否定制御回路群２６の入力側に設けた否定制御回路２７が受け、この否定制御回路２７の出力で信号がローになる。さらに、この否定制御回路２７の出力に別の否定制御回路２８の入力を接続してあり、この否定制御回路２８の出力で信号がハイになる。この信号を第一の否定制御回路群２３の入力側に設けた否定制御回路２４が受け、この否定制御回路２４の出力でローになり、さらに、この否定制御回路２４の出力に別の否定制御回路２５の入力を接続してあり、この否定制御回路２５の出力で信号がハイになる。この信号がフォトカプラ３０に入力され、このフォトカプラ３０はスイッチング素子２に信号を送信する。この場合、フォトカプラ３０はハイの信号を入力したため、スイッチング素子２はオンする。
【００１７】
このスイッチング素子２がオンすると、このスイッチング素子２と第二のコンデンサ３とを通る交流電流が交流電源６から流れ、この交流電流も整流ブリッジ７へ供給される。このため直流電源１０の電流出力能力が補強される。また、スイッチング素子２の他端は負荷２２に接続してあり、スイッチング素子２がオンになると、交流電源６の交流電圧が負荷２２に供給され、負荷２２は動作状態になる。この負荷２２は受光素子を備え、センサ回路１１のセンサ１８から受光素子がオンコマンドを受光したときに、待機状態から動作状態に移行する。
【００１８】
一方、センサ１８の受光が設定値以上になると、抵抗値が下がりローになる。この信号を第一の否定制御回路群２６の入力側に設けた否定制御回路２７が受け、この否定制御回路２７の出力で信号がハイになる。さらに、この否定制御回路２７の出力に別の否定制御回路２８の入力を接続してあり、この否定制御回路２８の出力で信号がローになる。この信号を第一の否定制御回路群２３の入力側に設けた否定制御回路２４が受け、この否定制御回路２４の出力でハイになり、さらに、この否定制御回路２４の出力に別の否定制御回路２５の入力を接続してあり、この否定制御回路２５の出力で信号がローになる。この信号がフォトカプラ３０に入力され、このフォトカプラ３０はスイッチング素子２に信号を送信する。この場合、フォトカプラ３０はローの信号を入力したため、スイッチング素子２はオフし、省電力回路は待機モードに戻る。
【００１９】
スイッチング素子２がオフ状態になると、負荷２２に交流電流が供給されず、第一のコンデンサ１及び第二のコンデンサ３は電力を消費しないので、省電力回路の待機モードでの消費電力はツェナーダイオード８及びセンサ回路１１での消費分のみとなる。また、第一のコンデンサ１並びに第二のコンデンサ３を通過する交流電流は、第一のコンデンサ１並びに第二のコンデンサ３の端子電圧に比べ位相が９０°進んでいるので、電力が消費されない。
【００２０】
【発明の効果】
本発明によれば、停電状態を確実に検出し、瞬停時センサ出力部を一定期間オフすることをできるようにしたことにより、入力電圧が復帰した際に瞬停前と同様にセンサ回路が正常に運転できる効果がある。
【００２１】
また、前記第二の否定制御回路群の出力と第一の否定制御回路群の入力との間に単数又は複数個の抵抗、コンデンサその他受動素子を設けてあることにより、時定数を制御できる効果がある。
【図面の簡単な説明】
【図１】本発明に係る一実施例の回路図である。
【図２】従来例の回路図である。
【符号の説明】
１　第一のコンデンサ
２　スイッチング素子
３　第二のコンデンサ
６　交流電源
７　整流ブリッジ
８　ツェナーダイオード
９　入力コンデンサ
１０　直流電源
１１　センサ回路
１２　信号発生器
１３　交流電気信号
１４　信号処理部
１５　直流信号
１６，１７　スイッチング素子
１８　センサ
２１　電圧検出回路
２２　負荷
２３，２６　否定制御回路群
２４，２５，２７，２８　否定制御回路
３０　フォトカプラ
３１，３２　抵抗
３３　コンデンサ
【図１】
2004094775.tif 000003
【図２】
2004094775.tif 000004